(57)【要約】【課題】物品を載置するための載置面における平坦部分が広い物品収納容器及びこれを備えた机を提供すること。【解決手段】物品が載置される平坦な載置面１１を有する底板１０と、底面３、前記載置面１１と垂直な側面４，５、及び前記側面４，５と前記底面３とを曲面により繋ぐ角部６，７とを有する曲げ板からなる本体と、を有し、前記底板１０は、前記載置面１１に垂直な方向から見たときにおける前記底板１０の周縁部の少なくとも一部が前記角部６，７上に配されるように、前記底面３から隙間を空けて、前記底面３及び前記側面４，５により構成される空間内で前記本体に固定されている。【選択図】図３
2014090930.tif 000002
【特許請求の範囲】
【請求項１】
物品が載置される平坦な載置面を有する底板と、
底面、前記載置面と垂直な側面、及び前記側面と前記底面とを曲面により繋ぐ角部とを有する曲げ板からなる本体と、
を有し、
前記底板は、前記載置面に垂直な方向から見たときにおける前記底板の周縁部の少なくとも一部が前記角部上に配されるように、前記底面から隙間を空けて、前記底面及び前記側面により構成される空間内で前記本体に固定されている
ことを特徴とする物品収納容器。
【請求項２】
請求項１に記載の物品収納容器であって、
前記周縁部は、前記側面と前記角部との境界線上に配されている
ことを特徴とする物品収納容器。
【請求項３】
請求項１または２に記載の物品収納容器であって、
前記底板は、前記載置面と垂直な方向から見たときに互いに平行な直線からなる一組の辺を有し、
前記本体は、
前記底面、前記側面、及び前記角部を有しているとともに前記一組の辺のうちの一方の辺に接する第一部材と、
前記底面、前記側面、及び前記角部を有しているとともに前記一組の辺のうちの他方の辺に接し前記第一部材とは別体の第二部材と、
を有し、
前記底板は、前記第一部材の底面と前記第二部材の底面とを繋ぐように前記第一部材及び前記第二部材に固定されている
ことを特徴とする物品収納容器。
【請求項４】
請求項１から３のいずれか一項に記載の物品収納容器であって、
前記底板は、
前記載置面と反対側に、前記底面に対して前記底板を連結するための連結部を有し、
前記本体は、前記底面に、前記連結部と連結される被連結部を有する
ことを特徴とする物品収納容器。
【請求項５】
請求項１から４のいずれか一項に記載の物品収納容器と、
前記物品収納容器が取り付けられた天板と、
を有する机。
【請求項６】
請求項５に記載の机であって、
前記物品収納容器は前記天板の下面に取り付けられていることを特徴とする机。
【発明の詳細な説明】
【技術分野】
【０００１】
本発明は、物品を収納するための容器及びこれを備えた机に関する。
【背景技術】
【０００２】
従来、机に設けられた収納手段として、引き出しや棚が知られている。例えば、特許文献１には、パソコン本体を収納するためのユニットが天板の下に設けられた机が開示されている。また、書類等を収納するためのラック等のユニットが机の下に取り付けられた机も知られている。
【先行技術文献】
【特許文献】
【０００３】
【特許文献１】特開２００４−８５５４号公報
【発明の概要】
【発明が解決しようとする課題】
【０００４】
特許文献１に開示された机においてパソコン本体を収納するためのユニットは、概ね直方体をなす外形形状を有しており、角ばった形状とされている。机の下にこのような角ばった構造物が配されていると、使用者の足が当たったときに不快感を与える可能性がある。
また、板材を曲げて角の丸い箱状のユニットを形成することも考えられるが、この場合、ユニットの内面においてユニットの角に相当する部分が湾曲することとなり、書類等の物品を直立させられない場合があったり、物品を載置することができる平坦部分の面積が狭く収納効率が悪くなったりすることが考えられる。
【０００５】
本発明は、上述した事情に鑑みてなされたものであって、その目的は、物品を載置するための載置面における平坦部分が広い物品収納容器及びこれを備えた机を提供することである。
【課題を解決するための手段】
【０００６】
本発明の一態様は、物品が載置される平坦な載置面を有する底板と、前記載置面と平行な底面、前記載置面と垂直な側面、及び前記側面と前記底面とを曲面により繋ぐ角部とを有する曲げ板からなる本体と、を有し、前記底板は、前記載置面に垂直な方向から見たときにおける前記底板の周縁部の少なくとも一部が前記角部上に配されるように、前記底面から隙間を空けて、前記底面及び前記側面により構成される空間内で前記本体に固定されていることを特徴とする物品収納容器である。
【０００７】
また、前記周縁部は、前記側面と前記角部との境界線上に配されていてもよい。
【０００８】
また、前記底板は、前記載置面と垂直な方向から見たときに互いに平行な直線からなる一組の辺を有し、前記本体は、前記底面、前記側面、及び前記角部を有しているとともに前記一組の辺のうちの一方の辺に接する第一部材と、前記底面、前記側面、及び前記角部を有しているとともに前記一組の辺のうちの他方の辺に接し前記第一部材とは別体の第二部材と、を有し、前記底板は、前記第一部材の底面と前記第二部材の底面とを繋ぐように前記第一部材及び前記第二部材に固定されていてもよい。
【０００９】
また、前記底板は、前記載置面と反対側に、前記底面に対して前記底板を連結するための連結部を有し、前記本体は、前記底面に、前記連結部と連結される被連結部を有していてもよい。
【００１０】
本発明の別の態様は、上記態様の物品収納容器と、前記物品収納容器が取り付けられた天板と、を有する机である。
【００１１】
また、上記態様の机において前記物品収納容器は前記天板の下面に取り付けられていてもよい。
【発明の効果】
【００１２】
本発明によれば、物品を載置するための載置面における平坦部分が広い物品収納容器を提供することができる。
【図面の簡単な説明】
【００１３】
【図１】本発明の第１実施形態の物品収納容器及び机を示す斜視図である。
【図２】同物品収納容器の斜視図である。
【図３】同物品収納容器の一部を示す部分断面図である。
【図４】同机における天板の下面を示す斜視図である。
【図５】図３のＡ−Ａ線における断面図である。
【図６】同物品収納容器の使用時の一状態を示す斜視図である。
【図７】同物品収納容器の作用を説明するための模式図である。
【図８】同物品収納容器の作用を説明するための模式図である。
【図９】本発明の第２実施形態の物品収納容器を示す部分断面図である。
【図１０】本発明の第３実施形態の物品収納容器を示す部分断面図である。
【図１１】同実施形態における別の構成例を示す斜視図である。
【発明を実施するための形態】
【００１４】
（第１実施形態）
本発明の物品収納容器及び机の第１実施形態について説明する。図１は、本実施形態の物品収納容器及び机を示す斜視図である。図２は、物品収納容器の斜視図である。図３は、物品収納容器の一部を示す部分断面図である。図４は、机における天板の下面を示す斜視図である。図５は、図３のＡ−Ａ線における断面図である。
【００１５】
図１及び図２に示すように、本実施形態の物品収納容器１は、机５０の天板５１の下に取り付けられ、書類、カバン、パソコン等が収納される容器である。なお、本明細書では、机５０の通常の使用時における高さ方向を上下（図１に符号Ｘで示す）、机５０の幅方向を左右（図１に符号Ｙで示す）、机５０の奥行き方向を前後（図１に符号Ｚで示す）とし、机５０に物品収納容器１が取り付けられているものとして物品収納容器１の構造が示されている。
【００１６】
図２に示すように、物品収納容器１は、板材が曲げられることによって筒状に形成された本体２と、本体２の内部に配された底板１０とを有する。
【００１７】
本実施形態では、本体２は、前後端が開口された筒状であり、開口端２ａ，２ｂは長方形状とされている。なお、本体２の開口端２ａ，２ｂの形状は、角の丸い長方形状であったり長円形状であったりしても構わない。本体２は、両開口端２ａ，２ｂが前後方向（天板５１の奥行き方向）に向く状態で天板５１に取り付けられている。
【００１８】
図３に示すように、本体２を前後方向から見たときにおける本体２の下端部分は、底板１０が取り付けられる底面３となっている。本体２を前後方向から見たときにおける本体２の左右部分は、収納する物品を立てかけることができる側面４，５となっている。本体２の側面４，５と底面３とは、曲面により繋がれている。本体２の側面４，５と底面３とが曲面により繋がれた部分は、本体２の角部６，７となっている。
【００１９】
本実施形態では、板材を曲げることによって角部６，７が形成されている。このため、角部６，７において、本体２の内側及び外側は、円柱面の一部をなす湾曲形状となっている。また、角部６，７が概ね直角である場合であっても、角部６，７が側面４，５の平面部分と底面３の平面部分との交線において板材が９０°屈曲する厳密な直角でない場合もある。また、丸みを帯びたデザインとするために、角部６，７が意図的に湾曲形状とされている場合もある。
【００２０】
図２及び図４に示すように、本体２を天板５１に固定するための構造としては、例えば、特開２００９−１１５１７５号公報に開示された物品固定構造を採用することができる。すなわち、天板５１の下面に設けられた係止溝５２と、係止溝５２に挿入される被係止部材５４を有し本体２に設けられたブラケット５３とを備えた構造であって、ネジ等により係止溝５２に被係止部材５４を押し付けるようになっている。なお、本体２を天板５１に固定するための構造はこれに限定されない。例えば、本体２を天板５１に直接ネジ止めしてもよい。
【００２１】
図３に示すように、底板１０は、物品が載置される載置面１１を板厚方向の一方側に有する板状部材である。
【００２２】
載置面１１は、一様に平坦な面であり、本実施形態では平面である。なお、底板１０には、底板１０を貫通する孔や載置面１１に開口する凹部が設けられていてもよい。
【００２３】
図５に示すように、本実施形態では、底板１０は、載置面１１に対して垂直な方向から見たときに長方形状を有する。載置面１１に対して垂直な方向から底板１０を見たときに、底板１０の周縁部のうち互いに平行な一組の辺１０ａ，１０ｂは本体２の内面のうち角部６，７部分に接しており、底板１０の周縁部のうち互いに平行な他の一組の辺１０ｃ，１０ｄは本体２の前後の開口に配されている。
【００２４】
図３に示すように、底板１０において載置面１１と反対側の面には、底板１０を本体２に取り付けるための取付部１２が設けられている。なお、底板１０は、本体２に対して固定されていてもよいし、本体２に対して固定されていなくてもよい。
例えば、底板１０に設けられた取付部１２として、ナット１３（連結部）が底板１０に固定されていてもよい。この場合、本体２の底面３には、ナット１３の位置に対応して本体２を貫通して形成されたネジ孔３ａ（被連結部）が設けられ、ネジを用いて本体２に底板１０を固定することができる。
また、底板１０に取り付けられた取付部１２として、本体２の底面３に対して滑りにくい材料を有する脚部材が設けられていてもよい。この場合、底板１０が本体２の底面３に対してずれにくいようになった状態で底板１０が本体２の底面３上に置かれる。
【００２５】
本実施形態では、取付部１２は、載置面１１と本体２の側面４，５とが垂直となるように本体２に対して底板１０の位置を保持する。さらに、取付部１２は、底板１０における上記一組の辺１０ａ，１０ｂが、本体２の側面４，５に接するように本体２に対する底板１０の上下方向の位置を規定するスペーサとしても機能している。また、取付部１２は、机５０に物品収納容器１が取り付けられた状態で載置面１１が水平面となるように載置面１１の向きを調整するようになっていてもよい。
【００２６】
なお、載置面１１と本体２の側面４，５との接触位置は、本体２における側面４，５と角部６，７との境界線Ｌ１上であることが好ましい。これにより、物品が載置される載置面１１の面積が広く、且つ物品を収納する容積を大きく確保することができる。
【００２７】
次に、本実施形態の物品収納容器１の作用について説明する。図６は、同物品収納容器の使用時の一状態を示す斜視図である。図７及び図８は、同物品収納容器の作用を説明するための模式図である。
【００２８】
図１に示すように、物品収納容器１は、底板１０が取り付けられた状態の本体２を、机５０の天板５１の下面に固定することにより通常の使用可能状態となる。
このとき、本体２の開口は机５０の奥行き方向（前後方向）となり、図６に示すように、前側から本体２内へ書類や鞄等の物品Ａを入れたり、本体２の前側から物品Ａを取り出したりすることができる。なお、本体２の後側の開口を特に塞いでいなければ、パソコンの配線等を本体２の後側から引き出しておくこともできる。
【００２９】
例えば、本体２内に物品Ａを収納する場合、本体２の側面４，５に物品Ａを立てかける場合がある。物品Ａが載置される面が傾斜したり湾曲したりしている場合には、傾斜したり湾曲した面上に物品Ａが載置されたときに物品Ａが移動することがある（図７参照）。このような場合、物品Ａが自立せずに収納しにくかったり、物品Ａが斜めとなり無駄な空間が生じたりする。
【００３０】
これに対して、本実施形態では、底板１０の載置面１１が本体２の側面４，５に対して垂直であり且つ載置面１１が水平な平面であるので、物品Ａを自立させやすく、収納効率もよくなる（図８参照）。
また、底板１０が設けられていることにより、本体２の外観形状と載置面１１の形状とを独立して設定できるので、丸みを帯びたデザインの外観を有する本体２であっても物品の収納効率が悪化しない。
【００３１】
また、本実施形態では、底板１０における平坦な部分の面積は、本体２の底面３の面積よりも広い。このため、底板１０が設けられていない場合と比較して、底板１０がある方が物品を載置することができる平面の面積が広い。
【００３２】
（第２実施形態）
次に、本発明の物品収納容器の第２実施形態について説明する。図９は、本実施形態の物品収納容器を示す部分断面図である。なお、図９においても前記３と同様に化粧パネル等一部の構成の図示が省略されている。
【００３３】
図９に示すように、本実施形態では、第１実施形態で説明した本体２とは構造が異なる本体２Ａを有している。すなわち、本実施形態の物品収納容器１Ａは、本体２に代えて、左側の側面２２及び底面２３を構成する左側壁体２１（第一部材）と、右側の側面２５及び底面２６を構成する右側壁体２４（第二部材）とを有している。
また、底板１０は、左側壁体２１の底面２３と右側壁体２４の底面２６との両方に固定されている。
また、左側壁体２１の上端部分と右側壁体２４の上端部分とは、連結板２７によって連結されている。
【００３４】
すなわち、本実施形態では、左側壁体２１、右側壁体２４、及び連結板２７によって、第１実施形態で説明した本体２とは構造が異なる本体２Ａが構成されている。
【００３５】
本体２Ａは、上述の第１実施形態と同様に天板５１の下面に取り付けられる。そして、底板１０は、左側壁体２１の側面２２及び右側壁体２４の側面２５に接している。
【００３６】
また、底板１０の左右方向の寸法及び連結板２７の左右方向の寸法を適宜設定することにより、本体２Ａの左右方向の寸法を設定することができる。
【００３７】
このような構成であっても、上述の第１実施形態と同様の効果を奏する。
また、底板１０及び連結板２７の左右方向の寸法を変えることで、左側壁体２１および右側壁体２４の形状を変更することなく本体２の左右方向の寸法を変えることができる。このため、曲げ加工が必要な部品は共通としつつ左右方向の寸法が異なる多様な製品を提供することができる。
【００３８】
（第３実施形態）
次に、本発明の物品収納容器の第３実施形態について説明する。図１０は、本実施形態の物品収納容器を示す部分断面図である。図１１は、本実施形態における別の構成例を示す斜視図である。
本実施形態の物品収納容器１Ｂは、天板５１の上に配されるトレイである点が上述の実施形態と異なっている。
【００３９】
すなわち、第１実施形態で説明した本体２に代えて、本実施形態の物品収納容器１Ｂは、図１０に示すように、底面３及び側面４，５を有し上端部分が開口された本体２Ｂと、本体２Ｂの底面３に取り付けられる底板１０Ｂとを有する。
【００４０】
また、本実施形態では、天板５１上に第１実施形態で説明した係止溝５２が設けられており、係止溝５２に入り込んで本体２Ｂを係止溝５２に固定するためのブラケット５３が本体２Ｂの底面３の外側部分に設けられている。
【００４１】
また、本実施形態では、図１１に示すように、本体２Ｂの前後に、底面３及び側面４，５に直交する方向に延びる前面３１及び後面３２が設けられていてもよい。
このような構成であっても、上述の実施形態と同様に、物品Ａを自立させやすく収納効率が高い物品収納容器１とすることができる。
【００４２】
以上、本発明の実施形態について図面を参照して詳述したが、具体的な構成はこの実施形態に限られるものではなく、本発明の要旨を逸脱しない範囲の設計変更等も含まれる。
【００４３】
例えば、上述の各実施形態で説明した物品収納容器は、机の天板以外に取り付けられるものであってもよい。例えば机の脚、パーティション、壁、天井、床その他様々な部位に本発明の物品収納容器を取り付けることができる。
【００４４】
また、上述の各実施形態において示した構成要素は適宜に組み合わせて構成することが可能である。
なお、上記具体的な構成に対する設計変更等は上記事項には限定されない。
【符号の説明】
【００４５】
１，１Ａ，１Ｂ  物品収納容器
２，２Ａ，２Ｂ  本体
２ａ，２ｂ  開口端
３  底面
３ａ  ネジ孔（被連結部）
４，５  側面
６，７  角部
１０，１０Ｂ  底板
１０ａ，１０ｂ  一組の辺
１０ｃ，１０ｄ  他の一組の辺
１１  載置面
１２  取付部
１３  ナット（連結部）
２１  右側壁体
２２  側面
２３  底面
２４  左側壁体
２５  側面
２６  底面
２７  連結板
３１  前面
３２  及び後面
５０  机
５１  天板
５２  係止溝
５３  ブラケット
５４  被係止部材
Ｌ１  境界線
Ａ  物品
【図１】
2014090930.tif 000003
【図５】
2014090930.tif 000004
【図６】
2014090930.tif 000005
【図７】
2014090930.tif 000006
【図８】
2014090930.tif 000007
【図１１】
2014090930.tif 000008
【図２】
2014090930.tif 000009
【図３】
2014090930.tif 000010
【図４】
2014090930.tif 000011
【図９】
2014090930.tif 000012
【図１０】
2014090930.tif 000013